(57)【要約】【課題】防水電線接続箱の設計を提供する。【解決手段】本発明の主要は箱本体、下浮動板、上浮動板、押さえ板及び締め付け蓋を含み、箱本体は締め付け蓋との締め付けに用いられ、かつ収納室を備え、収納室の一側はモジュール電線を挿し入れることができ、内部に二つの銅刺が設けられ、二つの銅刺とモジュール電線は接触結合に現われ、並びに順番に下浮動板及び上浮動板を入れ、上、下浮動板の間に適量の軟質シリコンゲルを充填し、押さえ板と締め付け蓋と合わせて防水電線接続箱を構成する。使用時は外接電線を箱本体に跨って設置し、更に押さえ板をもって外接電線を押し付け、締め付け蓋を締め付けるときに押さえ板を圧迫し、銅刺は外接電線に挿し込み、軟質シリコンゲルは圧迫されて釈出し、並びに刺し破れた個所に沿って絶縁覆いが形成され、防水抗酸化の目的が達成される。【選択図】図２
2011096535.tif 000002
【特許請求の範囲】
【請求項１】
防水電線接続箱の一種で、それは箱本体、下浮動板、上浮動板、押さえ板及び締め付け蓋を含み、
前記箱本体は中空の箱で、上端はねじ付け部であり、並びに切り口溝を備え、本体の底端には収納室を備え、収納室の一側にはモジュール電線の挿入に用いられる挿し孔が設けられ、かつ収容室内両側にはそれぞれ銅刺が固定して植え付けられ、
前記下浮動板は平らな板で、板には二つの銅刺と組み合わせ対応する貫通孔が設けられ、
前記上浮動板も平らな板で、板には上述二つの貫通孔と組み合わせ対応する貫通孔が設けられ、並びに軟質シリコンゲルを予め下浮動板と上浮動板の収納室内に充填し、
前記押さえ板は平らな板の挟み片であり、
前記締め付け蓋は箱本体のねじ付け部との締め付けに用いられ、締め付け蓋には相対する締め付けねじを備えるほか、かつそれの内部に下凹の持ち上げ面を形成し、
上述箱本体、下浮動板、上浮動板、押さえ板及び締め付け蓋から構成された防水電線接続箱で、下浮動板と上浮動板間の軟質シリコンゲルを用い、外接電線を箱本体の切り口溝に跨って設置し、外接電線を押さえ板と上浮動板の間に位置させ、更に締め付け蓋を締め付け、締め付け蓋の持ち上げ面をもって押さえ板を圧迫し、銅刺は外接電線に挿し込み、このとき軟質シリコンゲルは圧迫されて釈出し、上浮動板の貫通孔を通じて滲みだし、刺し破られた位置に沿って絶縁の覆いを形成することを特徴とする、防水電線接続箱。
【請求項２】
前記箱本体の収容室内には分隔板が設けられ、銅刺はそれぞれ分隔板の両側に植え付け固定されることを特徴とする、請求項１記載の防水電線接続箱。
【請求項３】
前記箱本体のねじ付け部両側の環形内壁にはそれぞれ複数本の互いに対応するリブが設けられてあることを特徴とする、請求項１記載の防水電線接続箱。
【請求項４】
前記箱本体の銅刺の底端は挿入されたモジュール電線とそれぞれ接触し、更に凝固ゴムを詰め込んで凝固結合させることを特徴とする、請求項１記載の防水電線接続箱。
【請求項５】
前記下浮動板の下端には対角に分布される脚柱が設けられ、上端には別の対角に分布される支えばね片が設けられ、下浮動板は先に箱本体の収納室に嵌め込まれ、かつ二つの脚柱は凝固ゴム内に埋め込まれて凝固結合が形成されることを特徴とする、請求項１記載の防水電線接続箱。
【請求項６】
前記上浮動板の両側辺壁には相対して箱本体の収容室に嵌め込まれる欠け溝面を備えることを特徴とする、請求項１記載の防水電線接続箱。
【請求項７】
前記押さえ板の両側辺壁には直溝を備え、それは箱本体への嵌め込みに用いられることを特徴とする請求項１記載の防水電線接続箱。
【請求項８】
前記押さえ板の二枚の辺片の間隔は太さの違う外接電線との組み合わせ対応に用いられることを特徴とする、請求項１記載の防水電線接続箱。
【請求項９】
前記箱本体の挿し孔にはモジュール化継ぎ手を具えるモジュール電線が挿入され、かつモジュール電線の二本の裸導線はそれぞれ銅刺と接触し、更に一層の凝固ゴムの敷設を経て凝固結合に形成されることを特徴とする、請求項１記載の防水電線接続箱。
【請求項１０】
前記箱本体の収容室には対応する挿し溝が設けられ、銅刺が対応して挿し込まれ嵌め込み結合を形成することを特徴とする、請求項１記載の防水電線接続箱。
【請求項１１】
前記下浮動板と上浮動板の間の収納室に予め詰め込まれる軟質シリコンゲルは形状回復可能な軟質シリコンゲルであることを特徴とする、請求項１記載の防水電線接続箱。
【発明の詳細な説明】
【技術分野】
【０００１】
本発明は防水電線接続箱の設計に係り、特に快速に組み合わせられて電線を接続し、並びに防水効能を具える電線接続箱の構造設計に関するものである。
【背景技術】
【０００２】
二本の電線の組み合わせ接続について、従来のよく見られる方式は先に二本の電線の接合端の絶縁外皮を剥がし除き、そして露出した金属導線を互いに絡み合わせて連接させ、並びに絶縁テープ（ｔａｐｅ）を用いて連接個所を覆い包み、二本の電線の組み合わせ接続を完成する。従来のものには電線接続箱を通じて接続するのもあり、例えばアメリカ合衆国第５４９９９３１号発明特許案で、それは電線接続箱の本体内に予め二つの銅刺が設けられ、これによって電線に刺し込み、それから締め付け固定するが、このような電線接続箱の応用は主として室外に取り付けられ、銅刺が電線を刺し破った個所は防水できなく、長期的に使用されると雨水が浸入し、刺し込み端は速く酸化して破損を導くので、使用寿命が短くて明らかに改善する必要がある。
【先行技術文献】
【特許文献】
【０００３】
【特許文献１】アメリカ合衆国特許第５４９９９３１号明細書
【発明の概要】
【発明が解決しようとする課題】
【０００４】
本発明の主要目的は、防水電線接続箱の設計を提供することにあり、それは特に防水電線接続箱の箱本体内に予め適量の軟質シリコンゲル(ｓｉｌｉｃｏｎ  ｇｅｌ)を充填し、銅刺が外接電線を刺し破ったとき、自動的に釈放される軟質シリコンゲルを用いて刺し破った個所に絶縁覆いが形成され、これによって防水抗酸化の効果が達成され、電線接続箱の使用寿命を延長し、導線の安定性が確保される。
【０００５】
本発明の次の目的は、前述予め充填された軟質シリコンゲルは形状回復可能の軟質シリコンゲルであり、一旦外接電線が取り除かれると軟質シリコンゲルは自動的に形状が回復し、並びに新たに箱本体の元の空間に戻り、防水電線接続箱は再び使用できるようになる防水電線接続箱の設計を提供することにある。
【課題を解決するための手段】
【０００６】
防水電線接続箱の一種で、それは箱本体、下浮動板、上浮動板、押さえ板及び締め付け蓋を含み、箱本体は締め付け蓋との締め付けに用いられ、かつ収納室を備え、収納室の一側はモジュール(ｍｏｄｕｌｅ)電線を挿し入れることができ、内部に二つの銅刺が設けられ、二つの銅刺とモジュール電線は接触結合に現われ、並びに順番に下浮動板及び上浮動板を入れ、上、下浮動板の間に適量の軟質シリコンゲルを充填し、押さえ板と締め付け蓋と合わせて防水電線接続箱を構成する。使用時は外接電線を箱本体に跨って設置し、更に押さえ板をもって外接電線を押し付け、締め付け蓋を締め付けるときに押さえ板を圧迫し、銅刺は外接電線に挿し込み、軟質シリコンゲルは圧迫されて釈出し、並びに刺し破れた個所に沿って絶縁覆いが形成され、防水抗酸化の目的が達成される。
【図面の簡単な説明】
【０００７】
【図１】本発明の組み合わせ立体図。
【図２】本発明の分解立体図。
【図３】本発明の箱本体の横断面図。
【図４】本発明の箱本体の局部断面立体図。
【図５】本発明の下浮動板を箱本体の収容室に嵌め込んだ意表図。
【図６】本発明の組み合わせ断面。
【図７】本発明の外接電線が入れられて刺し破れた前の状態を表す意表図。
【図８】本発明の外接電線が入れられて刺し破れた後の状態を表す意表図。
【図９】本発明に細い外接電線が選ばれた組み合わせ立体図。
【図１０】本発明に細い外接電線が選ばれて刺し破れた後の状態を表す意表図。
【発明を実施するための形態】
【０００８】
以下、添付図面を参照して本発明の好適な実施の形態を詳細に説明する。
【０００９】
図１から図５に示すように、本発明の「防水電線接続箱」の設計の主要は箱本体１、下浮動板２、上浮動板３、押さえ板４ａまたは４ｂ及び締め付け蓋５を含む。
【００１０】
箱本体１、それは中空の箱で、上端はねじ付け部１１であり、並びに切り口溝１２を備え、本体の底端には収納室１３を備え（図２、図３の如く）、収納室１３の一側にはモジュール電線６の挿入に用いられる挿し孔１４が設けられ、かつ収容室１３内には分隔板１５が設けられ（図３、図４の如く）、分隔板１５の両側にはそれぞれ銅刺１６が固定して植え付けられ、また上述ねじ付け部１１両側の環形内壁にはそれぞれ複数本の互いに対応するリブ(ｒｉｂ)１７が設けられ、銅刺１６の上端には複数個の凸刺１６１を備え、かつ銅刺１６の底端は挿入されたモジュール電線６とそれぞれ接触し、それから予め凝固ゴム(ｇｕｍ)１８を詰め込んで凝固結合させる（図６の如く）。
【００１１】
下浮動板２、それは平らな板で、板には二つの銅刺１６と組み合わせ対応する貫通孔２１が設けられ、下端には対角に分布される脚柱２２が設けられ、上端には別の対角に分布される支えばね片２３が設けられ、下浮動板２は先に箱本体１の収納室１３に嵌め込まれ（図５の如く）、二つの脚柱２２は凝固ゴム１８内に埋め込まれて凝固結合が形成される（図６の如く）。
【００１２】
上浮動板３、それも平らな板で、板には上述二つの貫通孔２１と組み合わせ対応する貫通孔３１が設けられ、両側辺壁には上述リブ１７と組み合わせ対応する欠け溝面３２を備え、それは相対して箱本体１の収容室１３に嵌め込まれることに用いられ、特別なことは適量の軟質シリコンゲル７を予め下浮動板２と上浮動板３の収納室１３内に充填する（図６の如く）。
【００１３】
押さえ板４ａまたは４ｂ、それは外接電線８ａまたは８ｂの太さによって任意の一種を選択使用し、押さえ板４ａまたは４ｂは平らな板の挟み片で、それの下端中央両側に辺片４１ａまたは４１ｂが設けられて断面が略門型の挟み片を形成し、両側辺壁には直溝４２ａまたは４２ｂを備え、それは箱本体１の一枚のリブ１７に嵌め込み、嵌め込み定位を獲得することに用いられる。
【００１４】
締め付け蓋５、それは箱本体１のねじ付け部１１との締め付けに用いられ、締め付け蓋５には相対する締め付けねじを備えるほか、それの内部に凹下した持ち上げ面５１を形成する（図７または図８の如く）。
【００１５】
上述箱本体１、下浮動板２、上浮動板３、押さえ板４ａまたは４ｂ及び締め付け蓋５から構成された防水電線接続箱を用い、下浮動板２と上浮動板３間の収納室１３内には予め適量の軟質シリコンゲル７が充填されているので、使用時は外接電線８ａまたは８ｂを箱本体１の切り口溝１２に跨って設置し、外接電線８ａまたは８ｂを押さえ板４ａ（または４ｂ）と上浮動板３の間に位置させ、更に締め付け蓋５を締め付け、締め付け蓋５の持ち上げ面５１をもって押さえ板４ａ（または４ｂ）を圧迫し、銅刺１６は外接電線８ａまたは８ｂに刺し込み、このときの軟質シリコンゲル７は圧迫されて釈出し、刺し破られた位置に沿って絶縁の覆いを形成し（図８の如く）、それ故に軟質シリコンゲル７を用いて刺し破られた個所が覆われ、防水抗酸化の目的が達成される。
【００１６】
上述軟質シリコンゲル７は形状回復可能の軟質シリコンゲルであり、そのために外接電線８ａまたは８ｂが取り除かれると、軟質シリコンゲル７は自動的に形状を回復し、並びに再び箱本体の元の空間に戻るので（下浮動板２と上浮動板３間の収納室１３内に戻る）、本発明の防水電線接続箱は多数回重複使用することができる。
【００１７】
上述押さえ板４ａまたは４ｂは主として太さの違う外接電線８ａまたは８ｂに対して適当に組み合わせ対応し、略門型挟み片のサイズ(ｓｉｚｅ)に適当な組み合わせの変化を行っただけで、すなわち二つの辺片４１ａまたは４１ｂの間隔を用いて太さの違う外接電線８ａまたは８ｂに適当な組み合わせ対応ができ、図９はやや細い外接電線８ｂとの組み合わせ状態を示したもので、押さえ板４ａまたは４ｂの基本的構造はすべて同じである。
【００１８】
上述モジュール電線６は予め成型され、並びにモジュール化継ぎ手６１を備え、前記モジュール電線６は箱本体１の挿し孔１４との接続に用いられ、かつモジュール電線６の二本の裸導線はそれぞれ分隔板１５の隔離を通じて各自一つの銅刺１６と接触し、更に一層の凝固ゴム１８の敷設を経て堅固で脱落しない凝固結合に形成される。
【００１９】
上述二つの銅刺1６は箱本体１の収容室１３に予め設けられた対応する挿し溝１９と組み合わせ（図３の如く）、銅刺１６は対応する挿し溝１９に挿し込むことができ、更に堅固な嵌め込み結合を形成する。
【００２０】
本発明の設計の最大の特徴は、防水電線接続箱の箱本体１内に予め適量の軟質シリコンゲル７を充填し、二つの銅刺１６が同時に外接電線８ａまたは８ｂの絶縁ゴム層８１ａまたは８１ｂを刺し破り、内部導線８２ａまたは８２ｂと導通すると、更に自動的に軟質シリコンゲルを釈放し、それは上浮動板３の貫通孔３１を通じて滲み出し、並びに刺し破られた個所に沿って絶縁の覆いを形成するので防水抗酸化の効果が得られ、電線接続箱の寿命が延長され、導電の安定性が確保されることにある。
【００２１】
また、本発明の下浮動板２と上浮動板３を単一の部材に実施することもでき、下浮動板２と上浮動板３とを入れ替わることに用いられるが、その単一部材の予め設けられた空間に適量の軟質シリコンゲル７を充填し、かつそれを簡単な圧縮動作ができるようにすれば、同じく軟質シリコンゲル７の自動釈放を促し、並びに刺し破られた個所を覆い、隔離絶縁を形成することができるので、それも同等効果の応用に属する。これにより、図面の実施例に掲げた部材は本発明に取り上げた例の説明だけであり、それは本案の技術範囲を限定するものではなく、およそ同等効果の応用に及び、または前項技術手段に基づいて行った簡易の変更と入れ替えは、すべて本案の技術範囲から離脱しないものと見なすべきである。
【符号の説明】
【００２２】
１        箱本体
２        下浮動板
３        上浮動板
４ａ      押さえ板
４ｂ      押さえ板
５        締め付け蓋
６        モジュール電線
７        軟質シリコンゲル
８ａ      外接電線
８ｂ      外接電線
１１      ねじ付け部
１２      切り口溝
１３      収納室
１４      挿し孔
１５      分隔板
１６      銅刺
１６１    凸刺
１７      リブ
１８      凝固ゴム
１９      対応刺し溝
２１      貫通孔
２２      脚柱
２３      支えばね片
３１      貫通孔
３２      欠け溝面
４１ａ    辺片
４１ｂ    辺片
４２ａ    直溝
４２ｂ    直溝
５１      持ち上げ面
６１      モジュール化継ぎ手
８１ａ    絶縁ゴム層
８１ｂ    絶縁ゴム層
８２ａ    内部導線
８２ｂ    内部導線
【図１】
2011096535.tif 000003
【図２】
2011096535.tif 000004
【図３】
2011096535.tif 000005
【図４】
2011096535.tif 000006
【図５】
2011096535.tif 000007
【図６】
2011096535.tif 000008
【図７】
2011096535.tif 000009
【図８】
2011096535.tif 000010
【図９】
2011096535.tif 000011
【図１０】
2011096535.tif 000012